(57)【要約】      （修正有）【課題】収納物を取り出し易くしたポーチ及びかばんを提供する。【解決手段】ポーチ１は、収納空間Ｓの両側方に配置されて互いに対面する一対の側板部６ａ，６ｂと、一対の側板部６ａ，６ｂの下端同士の間に配置された底板部６ｃと、一対の側板部６ａ，６ｂのそれぞれの内面側に上端部７ｅが配置されて、収納空間Ｓと一対の側板部６ａ，６ｂおよび底板部６ｃとの間で湾曲しながら延びる樹脂製の板部材７と、を備え、板部材７は、バネ性を有しており、ファスナ４によって開閉部３が閉じられた状態で上端部７ｅを介して一対の側板部６ａ，６ｂを開方向に付勢し、底板部６ｃに対面する板部材の湾曲部７ｃは、開閉部３が開くのに伴って、底板部６ｃから持ち上がる。【選択図】図１
0003182064.tif 000002
【実用新案登録請求の範囲】
【請求項１】
収納空間を有するポーチ本体の上部に設けられた開閉部が留め具によって開閉されるポーチにおいて、
前記収納空間の両側方に配置されて互いに対面する一対の側板部と、
前記一対の側板部の下端同士の間に配置された底板部と、
前記一対の側板部のそれぞれの内面側に両端部が配置されて、前記収納空間と前記一対の側板部および前記底板部との間で湾曲しながら延びる樹脂製の板部材と、を備え、
前記板部材は、バネ性を有しており、前記留め具によって前記開閉部が閉じられた状態で前記両端部を介して前記一対の側板部を開方向に付勢し、
前記底板部に対面する前記板部材の湾曲部は、前記開閉部が開くのに伴って、前記底板部から持ち上がることを特徴とするポーチ。
【請求項２】
前記底板部は、前記一対の側板部の下端同士の間で平板状に延びており、平面上に載置されたときに、前記一対の側板部との協働により前記ポーチ本体を自立させることを特徴とする請求項１記載のポーチ。
【請求項３】
収納空間を有するかばん本体の上部に設けられた開閉部が留め具によって開閉されるかばんにおいて、
前記収納空間の両側方に配置されて互いに対面する一対の側板部と、
前記一対の側板部の下端同士の間に配置された底板部と、
前記一対の側板部のそれぞれの内面側に両端部が配置されて、前記収納空間と前記一対の側板部および前記底板部との間で湾曲しながら延びる樹脂製の板部材と、を備え、
前記板部材は、バネ性を有しており、前記留め具によって前記開閉部が閉じられた状態で前記両端部を介して前記一対の側板部を開方向に付勢し、
前記底板部に対面する前記板部材の湾曲部は、前記開閉部が開くのに伴って、前記底板部から持ち上がることを特徴とするかばん。
【考案の詳細な説明】
【技術分野】
【０００１】
本考案は、収納空間を有する本体の上部に設けられた開閉部が留め具によって開閉されるポーチ及びかばんに関するものである。
【背景技術】
【０００２】
従来、下記特許文献１に示されるように、開閉部を開くための付勢手段として、非金属製バネを用いたかばんが知られている。このかばんでは、シート状の合成樹脂板が、敷き板に対して垂直に固定される。合成樹脂板は、Ｕ字状に湾曲した状態でかばん内に挿入される。合成樹脂板の復元力により、かばんの側部が開方向に付勢される。
【先行技術文献】
【特許文献】
【０００３】
【特許文献１】特開２００７−３１３１６２号公報
【考案の概要】
【考案が解決しようとする課題】
【０００４】
上述した従来のかばんでは、開閉部が開かれたときに、合成樹脂板の復元力により、開口部が拡張され、開口部の拡張状態が保持される。しかしながら、合成樹脂板は、かばんの側部を開方向に付勢する機能を有するに留まる。この場合、たとえば、かばんの底付近に収納された収納物を取り出すためには、奥まで手を差し入れなければならない。そのため、収納物を取り出し難いという問題がある。
【０００５】
そこで本考案は、収納物を取り出し易くしたポーチ及びかばんを提供することを目的とする。
【課題を解決するための手段】
【０００６】
本考案の一形態は、収納空間を有するポーチ本体の上部に設けられた開閉部が留め具によって開閉されるポーチにおいて、収納空間の両側方に配置されて互いに対面する一対の側板部と、一対の側板部の下端同士の間に配置された底板部と、一対の側板部のそれぞれの内面側に両端部が配置されて、収納空間と一対の側板部および底板部との間で湾曲しながら延びる樹脂製の板部材と、を備え、板部材は、バネ性を有しており、留め具によって開閉部が閉じられた状態で両端部を介して一対の側板部を開方向に付勢し、底板部に対面する板部材の湾曲部は、開閉部が開くのに伴って、底板部から持ち上がることを特徴とする。
【０００７】
このポーチによれば、バネ性を有する板部材の両端部が、一対の側板部のそれぞれの内面側に配置される。板部材は、収納空間と一対の側板部および底板部との間において、湾曲しながら延びる。ポーチ本体の上部に設けられた開閉部が留め具によって閉じられた状態では、板部材は、両端部を介して一対の側板部を開方向に付勢する。開閉部が開かれると、板部材によって、一対の側板部が開かれる。よって、一対の側板部をわざわざ広げる動作が不要となる。さらに、底板部に対面する板部材の湾曲部は、開閉部が開くのに伴って、底板部から持ち上がる。これにより、収納空間に収容された収納物が底板部から持ち上がることとなり、収納物を取り出し易くできる。
【０００８】
底板部は、一対の側板部の下端同士の間で平板状に延びており、平面上に載置されたときに、一対の側板部との協働によりポーチ本体を自立させてもよい。この場合、平板状に延びる底板部と一対の側板部との協働により、ポーチ本体が自立する。よって、開閉部が開かれた状態で、例えばテーブルの上などにポーチ本体を置くことができ、収納物をより一層取り出し易くできる。
【０００９】
本考案の他の形態は、収納空間を有するかばん本体の上部に設けられた開閉部が留め具によって開閉されるかばんにおいて、収納空間の両側方に配置されて互いに対面する一対の側板部と、一対の側板部の下端同士の間に配置された底板部と、一対の側板部のそれぞれの内面側に両端部が配置されて、収納空間と一対の側板部および底板部との間で湾曲しながら延びる樹脂製の板部材と、を備え、板部材は、バネ性を有しており、留め具によって開閉部が閉じられた状態で両端部を介して一対の側板部を開方向に付勢し、底板部に対面する板部材の湾曲部は、開閉部が開くのに伴って、底板部から持ち上がることを特徴とする。
【００１０】
このかばんによれば、バネ性を有する板部材の両端部が、一対の側板部のそれぞれの内面側に配置される。板部材は、収納空間と一対の側板部および底板部との間において、湾曲しながら延びる。かばん本体の上部に設けられた開閉部が留め具によって閉じられた状態では、板部材は、両端部を介して一対の側板部を開方向に付勢する。開閉部が開かれると、板部材によって、一対の側板部が開かれる。よって、一対の側板部をわざわざ広げる動作が不要となる。さらに、底板部に対面する板部材の湾曲部は、開閉部が開くのに伴って、底板部から持ち上がる。これにより、収納空間に収容された収納物が底板部から持ち上がることとなり、収納物を取り出し易くできる。
【考案の効果】
【００１１】
本考案によれば、収納物を取り出し易くできる。
【図面の簡単な説明】
【００１２】
【図１】（ａ）は本考案の第１実施形態に係るポーチを示す斜視図、（ｂ）は（ａ）に示されるポーチにおいて、開閉部が開かれた状態を示す斜視図である。
【図２】（ａ）は図１（ａ）のＩＩＡ−ＩＩＡ線に沿う断面図、（ｂ）は図１（ｂ）のＩＩＢ−ＩＩＢ線に沿う断面図である。
【図３】図１に示されるポーチから収納物が取り出される様子を示す斜視図である。
【図４】第２実施形態に係るポーチにおいて、開閉部が開かれた状態を示す側面図である。
【図５】（ａ）は第３実施形態に係るポーチにおいて、開閉部が開かれた状態を示す斜視図、（ｂ）は第４実施形態に係るポーチにおいて、開閉部が開かれた状態を示す斜視図である。
【図６】（ａ）は本考案の第５実施形態に係るかばんを示す斜視図、（ｂ）は（ａ）に示されるかばんにおいて、開閉部が開かれた状態を示す斜視図である。
【考案を実施するための形態】
【００１３】
以下、本考案の実施形態について、図面を参照しながら説明する。なお、図面の説明において同一要素には同一符号を付し、重複する説明は省略する。
【００１４】
まず、図１〜図３を参照して、本考案の第１実施形態に係るポーチ１について説明する。図１及び図２に示されるように、ポーチ１は、携帯用の小物入れであり、使用者Ｃが片手で持てる程度のサイズを有している。ポーチ１は、収納空間Ｓを有するポーチ本体２と、ポーチ本体２の上部に形成されて開閉可能な開閉部３とを備える。収納空間Ｓには、例えば化粧品または筆記具等の小物が収納される。開閉部３は、ポーチ１の長手方向に沿って形成されている。開閉部３は開閉自在である。開閉部３は、ファスナ（留め具）４が開け閉めされることによって開閉される。ファスナ４は、ダブルファスナであってもよく、シングルファスナであってもよい。
【００１５】
ポーチ本体２は、互いに対面する一対の側部２ａ，２ｂと、一対の側部２ａ，２ｂ同士を連結する底部２ｃとを備える。上記の開閉部３は、一対の側部２ａ，２ｂの上端に沿って形成される。ポーチ本体２は、内部に芯材６を有することにより、定形性もしくは形状保持性を有している。ポーチ本体２は、テーブル等の上に置かれた状態で、自立可能である。
【００１６】
ポーチ本体２は、例えば樹脂製の芯材６を備える。芯材６は、たとえばポリプロピレン（ＰＰ）またはポリカーボネート等により成形される。芯材６は、側部２ａの芯材をなす側板部６ａと、側部２ｂの芯材をなす側板部６ｂと、底部２ｃの芯材をなす底板部６ｃとを備える。一対の側板部６ａ，６ｂは、底板部６ｃの両端縁から起立して、上下方向および開閉部３が形成された方向に延在する。一対の側板部６ａ，６ｂは、互いに対面する。言い換えれば、底板部６ｃは、一対の側板部６ａ，６ｂの下端同士の間に配置されている。なお、図１（ｂ）では、ポーチ本体２の内側の布体１０ｂが一部破断されて示されることにより、芯材６が露出したように示されている。
【００１７】
一対の側板部６ａ，６ｂのそれぞれは、収納空間Ｓの両側方に配置されて、平板状に延びている。底板部６ｃは、収納空間Ｓの下方に配置されて、一対の側板部６ａ，６ｂの下端同士の間で平板状に延びている。側板部６ａ、側板部６ｂ、底板部６ｃのそれぞれは、定形性もしくは形状保持性を有している。平板状の底板部６ｃは、テーブル等の平面上に載置されたときに、一対の側板部６ａ，６ｂとの協働によりポーチ本体２を自立させる。
【００１８】
ポーチ本体２は、芯材６の内面側に配置された樹脂製の板部材７を備える。板部材７は、たとえばポリプロピレン（ＰＰ）またはポリカーボネート等により成形される。板部材７は、例えば、ポーチ１の長手方向における芯材６の略中央に配置される。略長方形状の一枚の板材が湾曲させられて、芯材６の内面側に取り付けられることにより、板部材７が形成される。板部材７は、バネ性を有する。言い換えれば、板部材７は、ポーチ本体２に内蔵された状態で、復元力を有する。
【００１９】
板部材７は、全体としてＵ字状をなしている。板部材７は、一方の側板部６ａの内面側に配置される側面部７ａと、他方の側板部６ｂの内面側に配置される側面部７ｂと、側面部７ａ，７ｂの下端同士を連結する湾曲部７ｃとを有する。一対の側面部７ａ，７ｂと湾曲部７ｃとは、折れ曲がることなく、滑らかに連続している。側面部７ａは、側板部６ａに対面している。側面部７ａの一部は、側板部６ａの内面に当接する。側面部７ｂは、側板部６ｂに対面している。側面部７ｂの一部は、側板部６ｂに当接する。湾曲部７ｃは、底板部６ｃに対面している。このように、板部材７は、収納空間Ｓと、一対の側板部６ａ，６ｂおよび底板部６ｃとの間で、湾曲しながら延びている。
【００２０】
ポーチ１の長手方向における板部材７の幅は、ポーチ１全体の幅の３０％以上であってもよく、５０％以上であってもよい。板部材７の幅は、ポーチ１全体の幅の３０％未満であってもよい。板部材７の幅は、ポーチ１の長手方向における芯材６の幅の３０％以上であってもよく、５０％以上であってもよい。板部材７の幅は、芯材６の幅の３０％未満であってもよい。板部材７の幅（または側面部７ａ，７ｂの幅）は、板部材７の材質または求められるバネ性もしくは付勢力に応じて決定されてもよい。
【００２１】
板部材７の一方の端部すなわち側面部７ａの上端部７ｄ（図２（ａ），（ｂ）参照）は、側板部６ａの上端部の内面側に固定されている。側面部７ａの上端部７ｄは、たとえば一又は複数のリベット等の固定具８（図１（ａ），（ｂ））によって、側板部６ａに固定される。板部材７の他方の端部すなわち側面部７ｂの上端部７ｅは、側板部６ｂの上端部の内面側に固定されている。側面部７ｂの上端部７eは、たとえば一又は複数のリベット等の固定具８（図１（ａ），（ｂ））によって、側板部６ｂに固定される。
【００２２】
板部材７は、ファスナ４によって開閉部３が閉じられた状態（図１（ａ）及び図２（ａ）に示される状態）で、上端部７ｄ，７ｅを介して一対の側板部６ａ，６ｂを開方向に付勢する。すなわち、側面部７ａの上端部７ｄと、側面部７ｂの上端部７ｅとは、互いに離間する方向に一対の側板部６ａ，６ｂを押圧する。ファスナ４によって開閉部３が閉じられた状態で、板部材７の湾曲部７ｃは底板部６ｃの上面に当接している。より詳細には、湾曲部７ｃの最下端部は、底板部６ｃの上面に対して直線状に当接している。
【００２３】
一体化された芯材６と板部材７との表面は、布体１０によって覆われている。布体１０は、樹脂製であってもよく、綿や麻等の素材によって形成されてもよい。布体１０は、板部材７の外表面を覆う布体１０ａと、板部材７及び芯材６の内面側を覆う布体１０ｂと、を有する。内側の布体１０ｂによって、収納空間Ｓが画成されている。
【００２４】
ポーチ１の長手方向の両端部には、例えば布製のベルト１１，１１が設けられている。ベルト１１は、樹脂製であってもよく、綿や麻等の素材によって形成されてもよい。ベルト１１は、内側の布体１０ｂの両端に縫合されている。ベルト１１は、ポーチ１内の収納物が外部にこぼれ落ちるのを防止する落下防止部である。ベルト１１は、ポーチ本体２の側部２ａ，２ｂが開く度合いを規制するストッパーとして機能することもできる。
【００２５】
ポーチ１においては、底板部６ｃに対面する板部材７の湾曲部７ｃは、開閉部３が開くのに伴って、底板部６ｃから持ち上がる（図２（ｂ）参照）。すなわち、ファスナ４が開かれることにより、上端部７ｄ，７ｅが一対の側板部６ａ，６ｂを外方に向けて押圧し、開閉部３が開かれる。このとき、側板部６ａの上端部に側面部７ａの上端部７ｄが追随し、側板部６ｂの上端部に側面部７ｂの上端部７ｅが追随する。これにより、板部材７が変形し、底板部６ｃに対して湾曲部７ｃが離隔される。言い換えれば、湾曲部７ｃと底板部６ｃと間の距離が大きくなる。湾曲部７ｃが、底板部６ｃに対して浮き上がる。
【００２６】
湾曲部７ｃが持ち上がるのに伴って、内側の布体１０ｂも持ち上がり、ポーチ１内の収納物全体が持ち上げられる。
【００２７】
このように、ポーチ１によれば、バネ性を有する板部材７の上端部７ｄ，７ｅが、一対の側板部６ａ，６ｂのそれぞれの内面側に配置される。板部材７は、収納空間Ｓと一対の側板部６ａ，６ｂおよび底板部６ｃとの間において、湾曲しながら延びる。ポーチ本体２の上部に設けられた開閉部３がファスナ４によって閉じられた状態では、板部材７は、上端部７ｄ，７ｅを介して一対の側板部６ａ，６ｂを開方向に付勢する。開閉部３が開かれると、板部材７によって、一対の側板部６ａ，６ｂが開かれ、開いた状態が維持される。よって、一対の側板部６ａ，６ｂをわざわざ広げる動作が不要となり、収納物Ｂを取り出し易い（図３参照）。さらに、底板部６ｃに対面する板部材７の湾曲部７ｃは、開閉部３が開くのに伴って、底板部６ｃから持ち上がる。これにより、収納空間Ｓに収容された収納物Ｂが底板部６ｃから持ち上がることとなり、収納物Ｂを更に取り出し易くできる。図３に示されるように、使用者Ｃが一方の手でポーチ１を持ちつつ、ファスナ４を開けて、他方の手で収納物Ｂを取り出すことが非常に容易になっている。
【００２８】
また、平板状に延びる底板部６ｃと一対の側板部６ａ，６ｂとの協働により、ポーチ本体２が自立する。よって、開閉部３が開かれた状態で、例えばテーブルの上などにポーチ本体２を置くことができ、収納物Ｂをより一層取り出し易くできる（図１（ｂ）参照）。
【００２９】
図４を参照して、第２実施形態に係るポーチ１Ａについて説明する。ポーチ１Ａが図１〜図３に示したポーチ１と違う点は、ベルト１１の外側に配置された開度調整具１２を備えた点である。開度調整具１２は、例えば側部２ａの端部に取り付けられた帯状体１２ａと、側部２ｂの端部に取り付けられた帯状体１２ｂとからなる。帯状体１２ａおよび帯状体１２ｂのそれぞれには、開度調整具１２の長さを調整可能とする複数のボタン１３が設けられている。このようなポーチ１Ａによれば、側部２ａ，２ｂの開度（すなわち側板部６ａ，６ｂの開度）を調整可能である。なお、帯状体１２ａ，１２ｂにボタン１３が設けられる場合に限られず、帯状体１２ａ，１２ｂに面ファスナが設けられてもよい。
【００３０】
本考案に係るポーチは、上述したポーチ１またはポーチ１Ａに限られず、あらゆる変形態様を採ることができる。例えば、図５（ａ）に示されるように、ポーチの一形態としてのペンケース１Ｂが提供され得る。ペンケース１Ｂは、直方体状の外形を有する。ペンケース１Ｂによっても、ポーチ１，１Ａと同様の作用・効果が奏される。なお、このペンケース１Ｂのように、一対の側板部６ａ，６ｂと底板部６ｃとが別体とされてもよい。
【００３１】
また、図５（ｂ）に示されるように、ポーチの一形態としてのウエストポーチ１Ｃが提供され得る。ウエストポーチ１Ｃは、ポーチ本体２の両端部に連結されたウエストベルト２０を備えている。ウエストポーチ１Ｃは、ウエストベルト２０によって、使用者Ｃの腰などに装着される。ウエストポーチ１Ｃによっても、ポーチ１，１Ａと同様の作用・効果が奏される。ウエストポーチ１Ｃによれば、使用者Ｃの両手が自由になり得るので、ファスナ４を開けば即座に、右手および／または左手で収納物Ｂを取り出すことができる。
【００３２】
さらにまた、本考案は、ポーチのみならず、ポーチよりも大きいサイズのかばんにも適用可能である。図６（ａ）および（ｂ）に示されるように、ポーチ１と同様の構成を有するかばん３０が提供され得る。かばん３０は、かばん本体３０ａと、取手３０ｂとを有する。かばん本体３０ａは、側部２ａ，２ｂの端部同士を連結する端面部２ｄ，２ｅを有する。かばん本体３０ａの側部２ａ，２ｂおよび底部２ｃにおける構成は、ポーチ１の側部２ａ，２ｂおよび底部２ｃにおける構成と同様である。なお、かばん本体３０ａの側部２ａ，２ｂおよび底部２ｃでは、一対の側板部６ａ，６ｂと底板部６ｃとが別体とされている。
【００３３】
かばん３０によれば、バネ性を有する板部材７の上端部７ｄ，７ｅが、一対の側板部６ａ，６ｂのそれぞれの内面側に配置される。板部材７は、収納空間Ｓと一対の側板部６ａ，６ｂおよび底板部６ｃとの間において、湾曲しながら延びる。かばん本体３０ａの上部に設けられた開閉部３がファスナ４によって閉じられた状態では、板部材７は、上端部７ｄ，７ｅを介して一対の側板部６ａ，６ｂを開方向に付勢する。開閉部３が開かれると、板部材７によって、一対の側板部６ａ，６ｂが開かれ、開いた状態が維持される。よって、一対の側板部６ａ，６ｂをわざわざ広げる動作が不要となり、収納物Ｂを取り出し易い（図３参照）。さらに、底板部６ｃに対面する板部材７の湾曲部７ｃは、開閉部３が開くのに伴って、底板部６ｃから持ち上がる。これにより、収納空間Ｓに収容された収納物Ｂが底板部６ｃから持ち上がることとなり、収納物Ｂを更に取り出し易くできる。
【００３４】
また、平板状に延びる底板部６ｃと一対の側板部６ａ，６ｂとの協働により、かばん本体３０ａが自立する。よって、開閉部３が開かれた状態で、例えばテーブルの上などにかばん本体３０ａを置くことができ、収納物Ｂをより一層取り出し易くできる（図１（ｂ）参照）。
【００３５】
なお、かばん３０としては、ビジネスバッグ、旅行かばん、トートバッグ、ボストンバッグ等の各種態様を採ることができる。
【００３６】
以上、本考案の実施形態について説明したが、本考案は上記実施形態に限定されるものではない。例えば、一対の側板部６ａ，６ｂは、平板状である場合に限られず、湾曲していてもよい。底板部６ｃは、平板状である場合に限られず、湾曲していてもよい。一対の側板部６ａ，６ｂと底板部６ｃとは、折れ曲がることなく、滑らかに連続していてもよい。一対の側板部６ａ，６ｂは、底板部６ｃの両端縁に連結されていなくてもよく、底板部６ｃから分離されていてもよい。一対の側板部６ａ，６ｂが底板部６ｃとは別体とされることにより、側部２ａ，２ｂが開き易くなる。
【００３７】
ファスナ４によって開閉部３が閉じられた状態で、板部材７の湾曲部７ｃは底板部６ｃの上面に当接する場合に限られない。板部材７の湾曲部７ｃは、底板部６ｃの上面から多少離間していてもよい。
【００３８】
ポーチ本体２が、内部に芯材６を有することにより定形性を有する場合に限られない。ポーチ本体２の側部２ａ，２ｂおよび／または底部２ｃそのものが定型性を有する材質から形成されてもよい。すなわち、ポーチ本体２の側部２ａ，２ｂおよび／または底部２ｃは芯材を有さなくてもよい。この場合、側部２ａ，２ｂは、側板部６ａ，６ｂに相当する。底部２ｃは、底板部６ｃに相当する。側部２ａ，２ｂおよび／または底部２ｃは、樹脂製または皮革製であってもよい。布体１０が省略されてもよい。
【００３９】
上記実施形態では、板部材７の両端部７ｄ，７ｅが、固定具８によって一対の側板部６ａ，６ｂに固定される場合について説明したが、これに限られない。板部材７の両端部７ｄ，７ｅが、一対の側板部６ａ，６ｂに対し接着または溶接によって固定されてもよい。板部材７の両端部７ｄ，７ｅは、一対の側板部６ａ，６ｂに対して固定されなくてもよい。たとえば、一対の側板部６ａ，６ｂの上端部と板部材７の両端部７ｄ，７ｅとが重ね合された状態で、布体１０内に保持されていてもよい。
【００４０】
一枚の板部材７である場合に限られず、複数枚の板部材が設けられてもよい。この場合、複数枚の板部材は、ポーチ１の長手方向において互いに離間するように設けられる。留め具としては、ファスナ４以外にも、ボタン式またはマグネット式などの公知の態様が採用され得る。
【符号の説明】
【００４１】
１，１Ａ…ポーチ、１Ｂ…ペンケース（ポーチ）、１Ｃ…ウエストポーチ（ポーチ）、２…ポーチ本体、３…開閉部、４…ファスナ（留め具）、６ａ，６ｂ…一対の側板部、６ｃ…底板部、７…板部材、７ｄ，７ｅ…上端部（両端部）、７ｃ…湾曲部、３０…かばん、３０ａ…かばん本体、Ｓ…収納空間。
【図１】
0003182064.tif 000003
【図２】
0003182064.tif 000004
【図３】
0003182064.tif 000005
【図４】
0003182064.tif 000006
【図５】
0003182064.tif 000007
【図６】
0003182064.tif 000008